(57)【要約】【課題】易分離飲料の十分な撹拌性能が得られる、ストロー機能と、マドラー機能とを備えたストロー・マドラー兼用具を提供すること。【解決手段】ストロー部１と、このストロー部１の先端に備えたマドラー部２とからなり、このマドラー部２が、ストロー部１の軸線に対して直角に備えられる環形状をし、かつ、液体吸引口２２及びこの液体吸引口２２からストロー部１に連通する液体通路２３を備える。【選択図】図１
2015221077.tif 000002
【特許請求の範囲】
【請求項１】
ストロー部と、該ストロー部の先端に備えたマドラー部とからなり、該マドラー部が、ストロー部の軸線に対して直角に備えられる環形状をし、かつ、液体吸引口及び該液体吸引口からストロー部に連通する液体通路を備えてなることを特徴とするストロー・マドラー兼用具。
【請求項２】
ストロー部と、マドラー部とが接続・分離可能であることを特徴とする請求項１に記載のストロー・マドラー兼用具。
【請求項３】
複数個の液体吸引口を備えてなることを特徴とする請求項１又は２に記載のストロー・マドラー兼用具。
【発明の詳細な説明】
【技術分野】
【０００１】
本発明は、ストロー機能と、マドラー機能とを備えたストロー・マドラー兼用具に関するものである。
【背景技術】
【０００２】
シロップやミルクを入れて飲用するアイスコーヒーやアイスティー、カクテル、水で薄めて飲用する濃縮飲料等のように濃度の異なる複数種類の液体を混合して飲用する層状に分離し易い飲料（本明細書において、「易分離飲料」という。）をストローを用いて飲用する場合、易分離飲料をそのまま飲用すると飲み始めと飲み終わりで味が変わるため、ストローによって撹拌したり、マドラーやスプーンを用いて撹拌してから飲用するようにしている。
【０００３】
しかしながら、ストローによる撹拌は、十分な撹拌が行いにくく、また、マドラーやスプーンを用いる撹拌は、十分な撹拌が行える反面、マドラーやスプーンを添える必要があるという問題があった。
【０００４】
この問題に対処するため、ストローの先端に撹拌部を備えるようにしたストローが提案されている（例えば、特許文献１参照。）。
【先行技術文献】
【特許文献】
【０００５】
【特許文献１】特許第４６７６５６１号公報
【発明の概要】
【発明が解決しようとする課題】
【０００６】
ところで、上記のストローの先端に撹拌部を備えるようにしたストローは、撹拌部を、ストローの先端に形成した２〜４枚の羽根で構成したものからなるため、十分な撹拌性能を得にくいという問題があった。
【０００７】
本発明は、上記従来のストローの先端に撹拌部を備えるようにしたストローの有する問題点に鑑み、易分離飲料の十分な撹拌性能が得られる、ストロー機能と、マドラー機能とを備えたストロー・マドラー兼用具を提供することを目的とする。
【課題を解決するための手段】
【０００８】
上記目的を達成するため、本発明のストロー・マドラー兼用具は、ストロー部と、該ストロー部の先端に備えたマドラー部とからなり、該マドラー部が、ストロー部の軸線に対して直角に備えられる環形状をし、かつ、液体吸引口及び該液体吸引口からストロー部に連通する液体通路を備えてなることを特徴とする。
【０００９】
この場合において、ストロー部と、マドラー部とを接続・分離可能に構成することができる。
【００１０】
また、複数個の液体吸引口を備えてなるようにすることができる。
【発明の効果】
【００１１】
本発明のストロー・マドラー兼用具によれば、ストロー部の先端に備えたマドラー部が、ストロー部の軸線に対して直角に備えられる環形状をし、かつ、液体吸引口及び該液体吸引口からストロー部に連通する液体通路を備えてなることから、マドラー部によって易分離飲料の十分な撹拌性能が得られる、ストロー機能と、マドラー機能とを備えたストロー・マドラー兼用具を提供することができる。
【００１２】
また、ストロー部と、マドラー部とを接続・分離可能に構成することにより、ストロー部をワンウェイ方式とし、マドラー部をリユース方式としたり、容器の大きさに合わせたストロー部やマドラー部を適宜選択することができるようにする等、使用形態の多様化を図ることができる。
【００１３】
また、複数個の液体吸引口を備えてなるようにすることにより、易分離飲料を安定して吸引するようにすることができる。
【図面の簡単な説明】
【００１４】
【図１】本発明のストロー・マドラー兼用具の第１実施例を示し、（ａ１）及び（ａ２）は、ストロー・マドラー兼用具の使用形態を示す正面図、（ｂ）はストロー部を示す正面図、（ｃ）はマドラー部を示す斜視図、（ｄ）はマドラー部の変形例を示す斜視図である。
【図２】本発明のストロー・マドラー兼用具の第１実施例を示す斜視図である。
【発明を実施するための形態】
【００１５】
以下、本発明のストロー・マドラー兼用具の実施の形態を、図面に基づいて説明する。
【実施例１】
【００１６】
図１に、本発明のストロー・マドラー兼用具の第１実施例を示す。
このストロー・マドラー兼用具は、ストロー部１と、このストロー部１の先端に備えたマドラー部２とからなり、このマドラー部２が、ストロー部１の軸線に対して直角に備えられる環形状をし、かつ、液体吸引口２２及びこの液体吸引口２２からストロー部１に連通する液体通路２３を備えるようにしている。
【００１７】
そして、ストロー部１と、マドラー部２とは、一体に形成することもできるが、本実施例においては、ストロー部１及びマドラー部２のそれぞれに形成した接続部１１、２１を介して、接続・分離可能に構成するようにしている。
ここで、ストロー部１とマドラー部２との接続は、一方の接続部（例えば、マドラー部２の接続部２１）に、他方の接続部（例えば、ストロー部の接続部１１）を差し込んで緩く接続するようにしたり、接続部１１、２１の両方又は一方にネジや螺旋等の嵌合又は抜け止め機構を形成して強固に接続するようにすることができる。
これにより、ストロー部１をワンウェイ方式とし、マドラー部２をリユース方式としたり、容器の大きさに合わせたストロー部１やマドラー部２を適宜選択することができるようにする等、使用形態の多様化を図ることができる。
【００１８】
ストロー部１は、合成樹脂製、金属製、ガラス製等の任意の材料で形成した、任意の形状のものを使用することができるが、合成樹脂製のワンウェイ方式のもの（市販のストローを使用することもできる。）、特に、上部に蛇腹部１２を形成したものを好適に用いることができる。
【００１９】
マドラー部２は、合成樹脂製、金属製、ガラス製等の任意の材料で形成したものを使用することができるが、リユース方式のものを好適に用いることができる。
このマドラー部２の環形状は、閉ループからなる円環形状のほか、一部が開いたＣ字の円環形状や、多角形の環形状等、任意の形状を採用することができる。
【００２０】
また、マドラー部２に備える液体吸引口２２及びこの液体吸引口２２からストロー部１に連通する液体通路２３は、マドラー部２の任意の箇所に備えることができ、例えば、マドラー部２を管状に形成し、管内を液体通路２３にするとともに、外周面及び／又は内周面の適宜箇所に１個又は複数個の液体吸引口２２を備えるようにしたり、図１（）に示す変形例のように、マドラー部２を中実状に形成し、接続部２１に続けて縦方向に液体通路２３を形成し、当該箇所に１個又は複数個の液体吸引口２２を備えるようにすることができる。
【００２１】
このストロー・マドラー兼用具は、ストロー部１の先端に備えたマドラー部２が、ストロー部１の軸線に対して直角に備えられる環形状をし、かつ、液体吸引口２２及びこの液体吸引口２２からストロー部１に連通する液体通路２３を備えてなることから、マドラー部２によって易分離飲料の十分な撹拌性能が得ることができる。
【実施例２】
【００２２】
図２に、本発明のストロー・マドラー兼用具の第２実施例を示す。
このストロー・マドラー兼用具は、ストロー部１と、マドラー部２とを、合成樹脂製、金属製、ガラス製等の任意の材料で一体に形成したもので、マドラー部２を管状に形成し、管内を液体通路２３にするとともに、マドラー部２の先端を開口して液体吸引口２２としたものである。
なお、本実施例のその他の構成及び作用は、上記第１実施例のストロー・マドラー兼用具と同様である。
【００２３】
以上、本発明のストロー・マドラー兼用具について、複数の実施例に基づいて説明したが、本発明は上記実施例に記載した構成に限定されるものではなく、各実施例に記載した構成を適宜組み合わせる等、その趣旨を逸脱しない範囲において適宜その構成を変更することができるものである。
【産業上の利用可能性】
【００２４】
本発明のストロー・マドラー兼用具は、ストロー機能と、マドラー機能とを備え、易分離飲料の十分な撹拌性能が得られる特性を有していることから、シロップやミルクを入れて飲用するアイスコーヒーやアイスティー、カクテル、水で薄めて飲用する濃縮飲料等のように濃度の異なる複数種類の液体を混合して飲用する層状に分離し易い飲料を飲用する用途に好適に用いることができる。
【符号の説明】
【００２５】
１  ストロー部
１１  接続部
１２  蛇腹部
２  マドラー部
２１  接続部
２２  液体吸引口
２３  液体通路
【図１】
2015221077.tif 000003
【図２】
2015221077.tif 000004